Podtech/llm-jp-corpus-v4-ja_patent huggingface dataset:
(57)【要約】【課題】本発明は、ベンチュリ風洞部の吐出口側構成が、端縁側に向かって拡大する形状を備えることにより、ベンチュリの端縁を抜けた後の空気が遠心方向へ拡散して気流が乱れ、騒音の要因となっていることの抑制を目的とする。【解決手段】本発明に成る軸流ファンは、ベンチュリの風洞部を形成する内周面の吐出口側が、中央寄りの小径から吐出口側端の大径に向かって、プロペラの吐出側端縁対向部位近傍より外周方向に凸の湾曲した円錐状として形成されている。【選択図】        図１
2004353585.tif 000002
【特許請求の範囲】
【請求項１】
ベンチュリとプロペラを有する軸流ファンにおいて、前記ベンチュリの風洞を形成する内周面の吐出側が、中央寄りの小径から吐出口側端の大径に向かって、外周方向に凸の湾曲した円錐状を成すように形成されていること、を特徴とする軸流ファン。
【請求項２】
前記外周方向に凸の湾曲部は、プロペラの吐出側端縁付近を起点として形成されていること、を特徴とする請求項１に記載の軸流ファン。
【請求項３】
前記外周方向に凸の湾曲部は、プロペラの吐出側端縁対向部位より吐出口側を起点として形成されていることを特徴とする請求項２に記載の軸流ファン。
【請求項４】
前記外周方向に凸の湾曲部は、プロペラの吐出側端縁対向部位より吸込口側を起点として形成されていることを特徴とする請求項２に記載の軸流ファン。
【請求項５】
前記外周方向に凸の湾曲部は、プロペラの吐出側端縁対向部位直近を起点として形成されていることを特徴とする請求項２に記載の軸流ファン。
【発明の詳細な説明】
【０００１】
【発明の属する技術分野】
本発明は、軸流ファンを構成するベンチュリの風洞部形状に関する。
【０００２】
【従来の技術】
【特許文献１】（発明の名称；軸流ファン
特開２０００−３３７２９７号公報）
【０００３】
送風性能の向上と静穏化という相反する要素に対応するため、ベンチュリの風洞部形状については種々の検討が試みられ実用化されている。吸込口側端２−２の形状については、例えば特許文献１に見るように円弧部とこれに連通する円錐状部の構成によりその効果を実現しており、これと共に、吐出口側端２−３についても、ベンチュリ風洞部２−１を形成する内周面の吐出側が、図４に見るように風洞部２−１の中央寄りの小径起点２−５１から吐出口側端２−３の大径に向かって、直線状に拡大する円錐状拡大部２−５や、図示はしないが内周方向に凸の湾曲した所謂Ｒ形状として形成される構成が広く知られている。
【０００４】
【発明が解決しようとする課題】
上述の如き従来の構成で、特に吐出口側形状については、端縁側に向かって拡大する形状とすることに伴い風量は増大するものの、ベンチュリの吐出口側端２−３を抜けた後に、空気が遠心方向へも流れ拡散するため、気流の乱れが生じ騒音を助長するという問題があった。
【０００５】
【課題を解決するための手段】
本発明に成る軸流ファンは、前記ベンチュリ風洞を形成する内周面の吐出側が、中央寄りの小径から吐出口側端の大径に向かって、プロペラの吐出側端縁対向部位近傍より外周方向に凸の湾曲した円錐状に形成されている。
【実施例】
以下図面によって本発明の実施例を説明する。
【０００６】
従来のベンチュリ吐出部形状であると、風量は増大するが風の流れが遠心方向に拡散するため圧力は抑制されてしまう。この点を改善するため、風洞を形成するベンチュリ内周面の吐出側を、外周方向に凸の湾曲した円錐形状２−４として形成すると、風はベンチュリ吐出部形状に沿うように流れ、ベンチュリの吐出口端２−３を抜けた後も、風は軸方向を向いて流れ、従来の風量を維持しながら圧力が増大する効果を奏する。
【０００７】
本発明の実施例を示す図１と従来技術の例を示す図４は、風洞部内周面の拡大開始点２−５１と２−４１が同じ位置で、図１に見る本発明の構成では、外周方向に凸の湾曲した円錐形状２−４を成し、図４に見る従来技術の構成は直線状の円錐状２−５に形成されている。図４の形状を図１の形状にすると、風量を維持したまま圧力が増大するだけでなく、風の流れが軸方向を向き乱れが減少することに伴い騒音は小さくなる。即ち、ベンチュリ吐出口側端２−３から大気に放出される風の向きは、従来形状では吐出部の形状に沿ったまま遠心方向へ拡散するのに対し、吐出口側を外周方向に凸の湾曲した形状２−４とすることで、ベンチュリ吐出口側端２−３から大気に放出される前に風の向きを軸方向へ集中させることになって、遠心方向へ拡散せず、拡散が抑制される分だけ従来技術に比し圧力も向上する。
【０００８】
また、図１に示すプロペラの吐出側端縁３−１との対向部位より吐出口側寄りの位置から内周面を拡大する構成に対し、図２に示すようにプロペラの吐出側端縁３−１との対向部位より吸込口側寄りの位置から内周面を拡大する構成の形状とすると、その効果は騒音レベルを維持しながら圧力を増大させることが出来る。
【０００９】
また、特に図示はしないが、図１の例と図２の例との中間構造であるプロペラの吐出側端縁３−１と直近対向部位から内周面を拡大する構成としても相応の効果を実現出来ることは言うまでもない。
【００１０】
【発明の効果】
本発明に成る軸流ファンは、ベンチュリ吐出側端部が、外周方向に凸の湾曲した円錐形状を有することで、風の流れの遠心方向への拡散を防止し、騒音の抑制と共に圧力を増大させることが出来る。
【図面の簡単な説明】
【図１】本発明に成る、プロペラの吐出側端縁対向部位よりベンチュリ吐出口側寄りから、風洞部が外周方向に凸の湾曲した拡大部を備える例の半断面略図である。
【図２】本発明に成る、プロペラの吐出側端縁対向部位よりベンチュリ吸込口側寄りから、風洞部が外周方向に凸の湾曲した拡大部を備える別の例の半断面略図である。
【図３】本発明に係る軸流ファンの例の断面図である。
【図４】従来技術に成る、風洞部の吐出口側が直線状に拡大する円錐形状を備える例の半断面略図である。
【符号の説明】
１        軸流ファン
２        ベンチュリ
２−１    風洞部
２−２    吸込口側端
２−３    吐出口側端
２−４    外周方向に凸の湾曲拡大部
２−４１  プロペラの吐出口側端縁より吐出口側寄りの湾曲部の起点
２−４２  プロペラの吐出口側端縁より吸込口側寄りの湾曲部の起点
２−５    円錐状拡大部
２−５１  円錐状拡大部の起点
３        プロペラ
４        駆動用モータ
【図１】
2004353585.tif 000003
【図２】
2004353585.tif 000004
【図３】
2004353585.tif 000005
【図４】
2004353585.tif 000006
(57)【要約】【課題】全体の重さが軽く組立、分解が自在で簡単に移動と固定が出来、高さ調節が可能、突きささつた貫通力のある棒が止まり、突きささつたまま軸を保持して静止し、抜き取ることが簡単に出来て、長時間使用しても変形しなく、手軽に危険なく安全に使用可能な用具とする。【解決手段】台８に車輪四個を着け移動、固定が速やかに出来るように、前側二個の車輪にストッパーを設け、支柱四本４が個々の背丈に合わせ、上下出来軽い通過板１と非通過頒布２，３を安全のため二重に備え移動も簡単に持ち運んで組立、分解ができ、危険なく、貫通力のある棒状物体に損傷をあたえずに、手軽に使用出来る用具である。【選択図】        図１
2004353934.tif 000002
【特許請求の範囲】
【請求項１】
貫通力のある矢または棒状な物体を、受け止め簡単に抜き取ることの可能な通過可能物質、通過を防ぐことの出来る非通過物質とを備えて構成し相対した面の間を空間とした事を特徴とした用具。
【請求項２】
貫通力のある、矢や棒状物体の姿勢をそのままに通過した矢や棒状物体の先端が非通過物質にあたつたときにそこに静止するように通過可能物質を設けたことを特徴とした用具。
【請求項３】
本用具は、各個人の背丈に合わせて多様化出来るよう、前部通過可能物質と後部非通過物質、それぞれに上下調節機構を備え上下可能としたことを特徴とした用具。
【発明の詳細な説明】
【０００１】
【発明が属する技術分野】
本発明は、貫通力のある棒状な物体例えば矢（竹矢、棒矢、アルミ矢、カーボン矢）手裏剣等を受け止めることが可能な用具に関するものである。
【０００２】
【従来の技術】
従来の用具は、図２に示すように、稲藁を円筒状に平行に並べ束ね硬く締め付けた、そのため貫通力の弱い棒状物体は刺さりにくく逆に強いと抜き取りにくいそのような円筒状な稲藁束を固定台の上に載せたもので、移動は複数人でないと出来ないとゆう取り扱い上の問題があつた。また近年、農業の機械化の進展により稲の収穫時にはコンバインが使用され稲藁が寸断されてしまうために材料としての稲藁の確保そのものが困難となり問題を生じてる。
【０００３】
高さの調節が出来ないため、高さの異なつた物を複数造り、使用する人の背丈に合った高さの所で行うようにしないと外すと危険が伴う。
また円筒状の稲藁も使用していると、中心に藁が押しやられ中にたまり球状になり、刺さり難く跳ね返り、これも危険を伴う。
また突きささつた矢が発射した方向よりそのままの状態で突きささつた矢軸なりに保持せず稲藁が平行に並べてあるため多少斜めに入っても藁に沿って刺さるとゆう問題があつた。それは、練習具の場合１．５Ｍ（外れない程度）ほどの所より発射練習をするため実戦２８Ｍ以上離れると何十倍にもなってしまうため出来るかぎり正確に反映させたい。
【０００４】
【発明が解決しようとする課題】
解決しようとする問題点は、重さが軽く、高さ調節が可能で、矢軸の保持ができ、簡単に移動ができ、長時間使用しても変形しなく、どこでも危険なく使用ができ、正確に棒状貫通物体が静止できる用具。
【０００５】
【課題を解決するための手段】
本発明は、以上の課題を解決するために、請求項１の発明は、通過可能物質と非通過物質を相対して設け、対する面の間を空間にし、この空間を台に開けてある支柱差込穴の位置により、長い棒の時広く短い棒の時狭く調節し（約棒の長さの半分）受け止め具として使用する。また抜き取るにも貫通力に関係なく同じように棒状物体に損傷を与えずに、減速してその場に留め置き簡単に抜き取れることを、もつとも重要な特徴とする、貫通物体の受け止め具である。
また請求項２の発明は、棒状物体を折れ曲がり、跳ね返り、落下、垂れ下がり等無きよう通過可能物質これは棒状物体が損傷無く通過出来る、例えば発泡ウレタン、発泡樹脂、樹脂コウティング紙、段ボール、不職布、布といつたように破れず保持出来る物質を使い、また静止させるための非通過物質に網とか頒布で棒状物体が刺さらず損傷することなく衝撃を吸収せしめることが出来軽量な物質で受けることを重要な特徴とする。
また請求項３の発明は、使用する人の背丈に合わせることが出来るよう、支柱にスライド式を設け通過可能物質と非通過物質をそれぞれに上下調節可能にしたことと例えば近距離だと水平発射ですので通過可能物質と非通過物質を同じ高さに遠距離だと斜め上に発射ですので通過可能物質より非通過物質のほうを高くするためにも上下調節が必要欠かざる重要な特徴とした用具である。
【０００６】
【発明の実施の形態】
この発明の実施の形態を１図に示す。
台８には、車輪四個５、６を設け内二個６をストッパー付とし差し込むだけで組立が可能とし、この台８に棒の長さにより調節可能なように支柱穴を沢山作り支柱四本４を差し込み、この支柱４は、上下調節出来るようにパイプを二重にし、この支柱４の上に天井バー９を載せ通過可能な板１（この板は、出来る限り抵抗の少ない板、貫通棒の保持用なので抵抗が多い物だと抜き取りが大変になる）を掛け左右に道具置きフックを設け天井バー１０に細い貫通力のある棒でも通過不可能な物質を例えば網、頒布２、３を二重に掛けた機溝である。
【０００７】
【実施例】
図１は、本発明装置の１実施例の斜視図であって、車輪を付けることにより移動が簡単で危険でない所に自由に持ち運ぶ事が出来、使用する人の背丈に調節して危険を避けられ、以前はむずかしかった遠距離の練習も手軽にどんな所にも携帯使用が可能になつた。
【０００８】
【他の実施形態】
図１の実施形態は、通過可能物質１と非通過物質２、３を数個横に並べ遠近距離用としての使用も可能なように設けたものでも良い。
【０００９】
【発明の効果】
以上説明したように、本発明の用具は軽量なパイプと板と頒布の組み合わせなので、分解して携帯使用が可能といった利点がある。また台に取付けた車輪を用いて容易に場所の選択ができ、車輪にストッパーを取付けることによって、固定が出来狭い所でも使用可能となり他に危険なく安全に使用できる用具である。
【図面の簡単な説明】
【図１】この発明のー用具実施形態を示した斜視図である。（実施例１）
【図２】従来技術を示す用具の斜視図である。（実施例２）
【符号の説明】
１    通過可能物質
２    非通過物質
３    非通過物質
４    上下可動支柱
５    移動用車輪
６    移動用車輪ストッパー付
７    道具立てフック
８    台
９    前部天井バー
１０  後部天井バー
【図１】
2004353934.tif 000003
【図２】
2004353934.tif 000004
(57)【要約】【課題】格別の工具を用いることなく、容易に組み付けられるウエーブ式屋根板装置に関する。【解決手段】複数のリブを有し且つ両端に止水材を収容する溝を形成した屋根板材と、硬質と軟質のゴム又はプラスチック等で一体形式され且つ屋根板材と支持部材を支持する止水弁を有する止水材と、野地板材に固定されて屋根板材を支持する支持部材と、屋根板材に係合狭持されて止水材をカバーするキャップ材とより成る。【選択図】      図６
2004353429.tif 000002
【特許請求の範囲】
【請求項１】
複数のリブを有し且つ両端に止水材を収容する溝を形成した屋根板材と、硬質と軟質のゴム又はプラスチック等で一体形成され且つ屋根板材と支持部材を支持する止水弁を有する止水材と、野地板材に固定されて屋根板材を支持する支持部材と、屋根板材に係合狭持され止水材をカバーするキヤップ材とより成るウエーブ式屋根板装置。
【発明の詳細な説明】
【０００１】
【産業上の利用分野】
本発明は、格別の工具類を用いることなく、屋根板材と止水材と支持部材およびキヤップ材を取り付けられることのできるウエーブ式屋根板装置に関する。
【０００２】
【従来の技術】
従来より、屋根板に関する多くの提案がなされている。
【０００３】
しかしこれら従来例の一つたる特開平７−１１９２５６号は、構造的に複雑であって組付け作業にも多くの手数を要するは勿論のこと、本発明のような特徴は何ら有していない。
【０００４】
本発明は、屋根板材と止水材と支持部材とキヤップ材を夫々形成加工して成り、これらを特別の工具類を用いることなく手作業のみで組付けることが可能となった。
【０００５】
かくして格別の技術者でなくとも屋根葺き加工ができるようになり、作業性の向上と低価格でのウエーブ式屋根板装置を提供できるようになった。
【０００６】
【課題を解決するための手段】
本発明は、屋根板材と硬質材と軟質材で一体形成された止水材と支持部材およびキヤップ材を、格別の工具を用いることなく、手作業のみで弾性にして強度性を有する組付けができるようにした。
【０００７】
【作用】
本発明は、屋根板材と止水材と支持部材およびキャップ材を格別の工具を用いることなく手作業で組付けられることにより、風圧にも充分に耐えられる強度を有すると共に風雨の侵入も確実に防止できるものである。
【０００８】
【発明の実施の形態】
以下、本発明の具体的実施例を添付図面によって説明する。
【０００９】
【実施例】
図１は曲成加工された屋根板材であって長尺に形成されており、その両端には止水材を収容するための屈曲加工した溝２が形成され、これら溝２間における屋根板材１には複数のリブ３が設けられており、これらリブによって屋根板材１は薄層材であっても、充分な強度を有し、したがって熱による膨張収縮も防止される。
【００１０】
図２は硬質性のゴム又はプラスチック等５と軟質性のゴム又はプラスチック等６で一体形成された止水材４である。
【００１１】
この止水材４の略中央部には、下部を開口７した屋根板材１と支持部材１０を収容するための収容部８が形成され、該収容部８内には内部への風雨の侵入を防止するための対向する止水弁９が１乃至複数個もうけられている。
【００１２】
図３は屈曲形成された支持部材１０であって、屋根板材１を野地板材に固定するもので、１１は野地板材への取付部、１２は屋根板材１の係合部である。
【００１３】
図４はキヤップ材１３であって、その上面は略円弧状に形成されて弾性が付与され、その両端は下外方へ突出した係合部１５で下部は内方へ曲成１６されて成る。
【００１４】
図５は止水材４の収容部８の止水弁９によって屋根板材１の端部２Ａと支持部材１０の係合部１２が係合固定され、上部にはキヤップ材１３が取付けられた組付け関係を示すものである。
【００１５】
図６は屋根板材１と止水材４と支持部材１０と緩衡材と野地板材の組付関係を示すものである。
【００１６】
【発明の効果】
上記したような本発明によると、屋根板材と止水材と支持部材およびキャップ材は、夫々の溝２、止水弁９、係合部１２および係合部１５を係合させることで組付けられることができ、したがって格別の技術を要せずして行うことができるので、作業時間の短縮とも相俟って低価格で提供することができる。
また屋根板材には複数のリブが形成されたことですこぶる強度性が向上された。
更に止水材は硬質部と軟質部とが一体形成されたので、適度の強度性と軟性を兼ね備えることができ、且つ内部の止水弁によって屋根板材と支持部材を支持すると共に風雨の内部への侵入を確実に防止することができる。
しかもキヤップ材は図５に示す如く止水材をカバーし、風雨の侵入を防止する等、多くの利点を有する実用上工業上優れた発明である。
【図面の簡単な説明】
【図１】本発明を構成する屋根板材の斜視図である。
【図２】本発明を構成する止水材の断面図である。
【図３】本発明を構成する支持部材の斜視図である。
【図４】本発明を構成するキヤップ材の正面図である。
【図５】本発明の組付け関係を示す断面図である。
【図６】本発明の組付け関係を示す斜視図である。
【符号の説明】
１    屋根板材
２    溝
２Ａ  端部
３    リブ
４    止水材
９    止水弁
１０    支持部材
１３    キヤップ材
【図１】
2004353429.tif 000003
【図２】
2004353429.tif 000004
【図３】
2004353429.tif 000005
【図４】
2004353429.tif 000006
【図５】
2004353429.tif 000007
【図６】
2004353429.tif 000008
(57)【要約】      （修正有）【課題】男子立小便器と大便器とが切り替わる便器を提供する。【解決手段】男子立小便器の側面に立小便器蓋リ、大便器便座ル、大便器蓋ヌを設置し、それらをボタン操作ひとつにより、油圧装置チ、トを駆使して男子立ち小便器の前に設置された大便器にスライド移動セッティングし大便器として使用する。【選択図】      図２
2004353425.tif 000002
【特許請求の範囲】
【請求項１】
ボタンひとつで男子立小便器と大便器とが切り替わる装置、
【発明の詳細な説明】
【０００１】
［発明の属する技術分野］
本発明は小便器の洗浄用水タンクの側面に大便用便座、便座蓋、小便口カバーを両サイドに設置し油圧ポンプを使用することによってボタンひとつで大便器と小便器とを切り替える装置である。
【０００２】
［従来の技術］
従来は大便器に補助具を取り付け男子小便器の代替をしている物とか、前後に大便器と小便器を設置し全体を回転させる形式の物が見られるが、衛生的に不安が付きまとったり装置的に大掛かりになったりで現実的でなかった。
【０００３】
［発明が解決しようとする課題］
男子の立小便は生理的に起きる朝立ちのとき垂直の身体に対して４５度仰角以上に屹立するが、その状態のとき大便器にて用を足そうとすると屈辱的に腰を後方に引き男根を下方に押し下げなければならず男子の威厳をはなはだしく損ない場合によっては男根折損、勃起不全などの障害を起こしかねない。
今までに便器のふたに立小便をするとか前後に両器を設置し回転させて使用するとかの案が出ているが前者は衛生的に後者はスペース的かつコスト的に問題があった。
【０００４】
［発明が解決するための手段］
大便器のうしろに立小便器が位置するための衛生的かつ感覚的な不潔感の懸念を、両サイドから蓋がスライドして完全に背後を隠してしまうことにより払拭することができる、またスペース的にも従来のトイレスペースとなんら変わらず設置することが可能である
【０００５】
［発明の実施の形態］
以下、本発明の実施の形態について説明します。
図面１の（イ）〜（ヘ）は小便器の状態（イ）から大便器の状態（ホ）を経て完全蓋状態（ハ）までの連続図であり、作動は図面２の便器後背位置に設置した油圧装置により油圧プランジャー（ヲ）にて小便器の蓋（リ）便座（ル）、便器蓋（ヌ）をスライド開閉させるものである。
この小便器の蓋（リ）に大便器の便座（ル）大便器の蓋（ヌ）が蝶番連決してあり所定の位置まで達したらあおり上下して開閉する。
よって男子小便器と大便器とが衛生的かつ簡易に切り替わり快適に使用できる。
蓋閉じ用油圧ポンプ（ト）と蓋開け用油圧ポンプ（チ）図は便宜上簡略化したものであり本来は電動にて作動しボタンひとつで小便器と大便器が切り替わるための作動油を送迎するものである。
【０００６】
［発明の効果］
狭い家屋、ワンルームマンションにおいては小便器と大便器を設置することは困難であるがこの装置を使用することにより解決する、また行楽地や公共のトイレでこの装置を使用し男女共用にすれば、女子トイレだけ長蛇の列ができている状態が解決される。
【図面の簡単な説明】
【図１】本装置の使用状態連続図である。
【図２】本装置の油圧作動装置の図である。
【符号の説明】
（イ）    男子立ち小便器の状態。
（ロ）    小便器蓋、大便器便座、大便器蓋、が一体となって小便器前面にスライド移動する途中の状態。
（ハ）    （ロ）の状態がさらに進んだ状態。
（ニ）    小便器の蓋と大便器の蓋が垂直状態になり大便器の便座が途中まで降りた状態。
（ホ）    大便器および婦人小便器の状態。
（ヘ）    大便器の蓋が閉じられ完全に格納状態。
（ト）    大便器使用状態に各蓋がスライド移動するための作動油を送る油圧ポンプ。
（チ）    小便器使用状態に各蓋がスライド移動するための作動油を送る油圧ポンプ。
（リ）    立小便器用蓋。
（ヌ）    大便器用蓋。
（ル）    大便器用便座。
（ヲ）    油圧プランジャー。
（ワ）    蓋開閉用レバー
【図１】
2004353425.tif 000003
【図２】
2004353425.tif 000004
(57)【要約】【課題】在来迄の機械による圧縮を更に効率良く出来ないかを課題としていた【解決手段】起振力と荷重による、錐形形状の突起体を堆積物に貫入することにて圧縮する手段装置【選択図】    図１
2004353423.tif 000002
【特許請求の範囲】
【請求項１】
振動機械（起振機）１．に錐形形状の突起体２．を複数本取り付けた、産業廃棄物等の堆積物圧縮機械装置
【請求項２】
起振機１．と錐形の突起体上部盤板３．は３．の下部に取り付けた、複数本の錐形突起体のジョイント部であリ、各錐形形状突起体に振動機による起振力が伝達出来る骨組構造
【請求項３】
突起体の形状は錐形形状の貫入し易い、多角錐形、円錐形又は両方の組合わせ体、更に深度が大きい場合、円柱、角柱と多角錐、円錐の合わせた形状構造４である
【請求項４】
錐形先端部５．は硬質材加工とし取り外しの出来る構造
【請求項５】
翼羽構造６．は１．２．を倒れから保護する役割と起振機の振動を産業廃棄物等の堆積物により効果的に伝達する構造
【請求項６】
翼羽構造６．はその先端に鋸形の硬質鋼を使用した刃方を備え５．の取り外しが出来るように５．に接する部分は溶接はしない構造
【発明の詳細な説明】
【０００１】
【発明の属する分野】
本発明は産業廃棄物等の堆積物を圧縮する方法に使用する機械装置である。
【０００２】
【従来の技術】
従来迄はダイレクトパワー方式、円球玉の上下方式、ブルトウザー、ユンボ、の走行締固め方式であったが、飛散したりバウンドしたり又機械の走行でわは締め固めが小さいので本機械を考案した
【０００３】
【発明が解決しようとする課題】
最近各処分場が満杯化され新設には時間と多くの費用を費やすばかでなく許可同意が難しい状況にあるので、満杯化された各処分場の堆積物を圧縮し、更に産業廃棄物が投入出来るように考案した機械装置である。
【０００４】
【課題を解決するための手段】
本発明はすでに堆積している物を大きな荷重と起振力にて、錐形形状の容積の大きい物を強制貫入する事にて錐形の先端角度、つまり錐形面の直角方向に、力が働き産業廃棄物等の堆積物を下方向へ押し込む現象となり圧縮が生ずる手段装置
【０００５】
【発明の実施の形態】
本発明は大きな起振力を持つ振動機と貫入し易い形状の重量を持つ錐形突起体が複数本備え、圧縮効果が発揮できる形態である
【０００６】
【実施例】
本発明は地盤置き替え、及び改良又は産業廃棄物等の間隙の大きい堆積物の圧縮に実施済みである
【発明の効果】
間隙の大きい地盤又は堆積物は短時間で大きな圧縮が確認出来る
満杯化されている各処分場は更に受入ができ大きな経済効果を生む
【図面の簡単な説明】
【図１】図１は振動機械と盤板に取り付けた錐形形状突起体の全体装置ずである
【符号の説明】
１  振動機械
２  盤板と錐形形状突起体結合全体
３  盤板
４  錐形突起体
５  錐形先端
６  翼羽
７  翼羽先端鋸刃形
【図１】
2004353423.tif 000003
(57)【要約】【課題】  本発明は、任意の扉間の隙間をふさぐのに必要な長さおよび幅からなり折りたたむことが可能な長い隙間隠しシートで、扉の隙間を塞ぐことができる携帯式隙間隠しを提供する。【解決手段】  任意の扉間の隙間を塞ぐのに必要な長さおよび、幅からなり、折りたたむことが可能な長い隙間隠しシートと、隙間隠しシートの両端にそれぞれ扉縁に着脱可能な粘着部材を設け、あらかじめシートに消臭、芳香剤を含ませ、隙間隠し以外でも、トイレ内の悪臭を消せるようにしたことを特徴とする。【選択図】  図１
2004353449.tif 000002
【特許請求の範囲】
【請求項１】
任意の扉間の隙間をふさぐのに必要な長さおよび幅からなり折りたたむことが可能な長い携帯式隙間隠しシート。
【請求項２】
隙間隠しシートの両端にそれぞれ設けた扉縁に着脱可能な粘着部材を設けたことを特徴とする請求項１記載の携帯式隙間隠しシート。
【請求項３】
隙間隠しシートに消臭、芳香剤をしみ込ませた事を特徴とする請求項１又は２記載の携帯式隙間隠しシート。
【請求項４】
消臭、芳香の威力維持のためにジッパー付収納袋内に消臭、芳香ジェルを入れたことを特徴とする請求項１、２又は３に記載された携帯式隙間隠しシート。
【発明の詳細な説明】
【技術分野】
【０００１】  本発明は、任意の扉間の隙間をふさぐのに必要な長さおよび幅からなり折りたたむことが可能な長い隙間隠しシートで、扉の隙間を塞ぐことができる携帯式隙間隠しシートに関するものである。
【背景技術】
【０００２】  従来はトイレを設置する側が使用する隙間隠しのみで、任意に使用する側の携帯式隙間隠しは存在しなかった。
【発明の開示】
【発明が解決しようとする課題】
【０００３】（イ）プライバシーを守るための携帯式隙間隠しシートを作る
（ロ）常時携帯するために、隙間隠し以外の利用価値（消臭、芳香）をもたせる。
本発明は、これらの問題を解決するためになされたものである。
【課題を解決するための手段】
【０００４】（イ）任意の扉間の隙間を塞ぐのに必要な長さおよび、幅からなり、折りたたむことが可能な長い隙間隠しシートと、隙間隠しシートの両端にそれぞれ扉縁に着脱可能な粘着部材を設けている。
（ロ）あらかじめシートに消臭、芳香剤を含ませ、隙間隠し以外でも、トイレ内の悪臭を消せるようにする。
本発明は、以上の構成よりなる携帯式隙間隠しシートである。
【発明の効果】
【０００５】（イ）折りたたまれて小さく軽いので常時携帯でき任意の場所でプライバシーを守ることができ、使い捨てなので衛生的である。
（ロ）トイレ内の悪臭を消し、癒しの香りでリラックスできる。
【発明を実施するための最良の形態】
【０００６】  以下、本発明を実施するための最良の形態について説明する。
本発明は、細長いシート（１）とシート上下両端に設けた粘着部材（両面テープ）（２）よりなり、任意の扉の隙間を塞ぐのに必要な幅で通常の扉のたての長さ程のものであり、それを携帯し易く折りたたんだものである。
そのシートには、消臭芳香剤（３）がしみこませてあり、隙間隠し以外ではそのシートを臭いの元や気になる部分に持っていき上下又は前後左右にふることによって臭いを消すことを可能にする。
又、その効果が維持できる様収納はジッパー付きの収納袋（４）で、中には消臭、芳香ジェル（５）が適度に注入されている。
【図面の簡単な説明】
【０００７】
【図１】  本発明の使用状態を示した斜視図である。
【図２】  本発明の裏面図である。
【図３】  本発明の収納された状態での正面図である。
【図４】  本発明の収納された状態での側面図である。
【符号の説明】
【０００８】１  シート本体
２  粘着部材
３  消臭、芳香剤
４  ジッパー付き収納袋
５  消臭、芳香ジェル
【図１】
2004353449.tif 000003
【図２】
2004353449.tif 000004
【図３】
2004353449.tif 000005
【図４】
2004353449.tif 000006
(57)【要約】【課題】カバー材３の安定的支持と仕上げ材の額縁効果を支持材で兼用することができるエキスパンションジョイントを提供することをその課題とする。【解決手段】間隙Ｓを隔てて配された建築躯体１、２ａによって入隅部を構成するとともに、この入隅部において一方の建築躯体２ａには支持材４を固定し、この支持材４によって上記間隙を覆うカバー材３を支持したエキスパンションジョイントにおいて、一方の建築躯体２ａに固定した支持材４の一端を該建築躯体から遠ざかるように延出し、さらにその先端から建築躯体と平行に屈曲する額縁１２を形成し、上記屈曲部には上記カバー材３の端部に形成された係合部４０に回動可能に係合する係合溝４１を形成し、額縁１２によって上記建築躯体の表面を覆う仕上げ材１６の端部を覆う。【選択図】図２
2004353448.tif 000002
【特許請求の範囲】
【請求項１】
間隙を隔てて配された建築躯体によって入隅部を構成するとともに、この入隅部において一方の建築躯体には支持材を固定し、この支持材によって上記間隙を覆うカバー材を支持したエキスパンションジョイントにおいて、
一方の建築躯体に固定した支持材の一端を該建築躯体から遠ざかるように延出し、さらにその先端から建築躯体と平行に屈曲する額縁を形成し、上記屈曲部には上記カバー材の端部に形成された係合部に回動可能に係合する係合溝を形成し、額縁によって上記建築躯体の表面を覆う仕上げ材の端部を覆うことを特徴とするエキスパンションジョイント。
【発明の詳細な説明】
【技術分野】
【０００１】
本発明は間隙を隔てて配された建築躯体によって入隅部を構成するとともに、この入隅部において上記間隙をカバー材で覆うエキスパンションジョイントに関する。
【背景技術】
【０００２】
一般に、間隙を隔てて配された建築躯体を配する場合、上記間隙から外気が進入する可能性があり、また内外観も損なわれるので、エキスパンションジョイントのカバー材によって上記間隙を塞ぐことが行なわれている。
【０００３】
ところが、間隙をカバー材で塞ぐ際に、カバー材が両側の建築躯体に設けられた支持材にフリーに支持されていると、カバー材が安定しない。また、建築躯体が大きく変動するときには、カバー材はさらに不安定になる。
【発明の開示】
【発明が解決しようとする課題】
【０００４】
本発明は上記問題点を解消し、カバー材の安定的支持と仕上げ材の額縁効果を支持材で兼用することができるエキスパンションジョイントを提供することをその課題とする。
【課題を解決するための手段】
【０００５】
前記課題を解決するため、本発明に係るエキスパンションジョイントは、間隙を隔てて配された建築躯体によって入隅部を構成するとともに、この入隅部において一方の建築躯体には支持材を固定し、この支持材によって上記間隙を覆うカバー材を支持したエキスパンションジョイントにおいて、一方の建築躯体に固定した支持材の一端を該建築躯体から遠ざかるように延出し、さらにその先端から建築躯体と平行に屈曲する額縁を形成し、上記屈曲部には上記カバー材の端部に形成された係合部に回動可能に係合する係合溝を形成し、額縁によって上記建築躯体の表面を覆う仕上げ材の端部を覆うことを特徴とする。
【発明の効果】
【０００６】
請求項１に係る発明によれば、支持材によってカバー材を回動可能に支持できるとともに、支持材の額縁によって建築躯体の仕上げ材の端部を覆うから、カバー材の支持と仕上げ材の額縁効果を支持材で兼用することができる。
【実施例１】
【０００７】
図１は、一方の壁躯体１に対して他方の壁躯体２ａが間隙Ｓをおいて直角に配された場合のように、入隅部にエキスパンションジョイントを適用した場合の例で、上記一方の壁躯体１側には支持材４、額縁材５、カバー材３が設けられ、これに直角に面した壁躯体２ａ側には、支持材４と額縁材５とによってカバー材３を挟持している。
【０００８】
壁躯体１側において、支持材４は上記建築躯体１の表面にボルト６で固定され、かつ額縁材５の取付位置の位置決め部７を備えた固定縁８と、この固定縁８から延出されて先端が上記カバー材３の裏面に当接して支持する鈎縁９とを備えている。位置決め部７は山形に形成され、また鈎縁９は上記間隙Ｓ側に配置されている。さらに、上記固定縁８の中間からは外方に開口する係止溝部１０が形成されている。
【０００９】
額縁材５は、先端が支持材４の上記位置決め部７に係合するとともに上記鈎縁９の先端と対向する位置に延出されたＬ形の取付縁１１と、取付縁１１から逆側に屈曲して延出された略Ｌ字状の額縁１２とを備えている。取付縁１１の中間からは係止突縁１３が突出形成されている。額縁材５を取り付けるときは、上記取付縁１１の端部の受け部１１ａは支持材４の位置決め部７に係合して支持材４に対する位置を決め、次に係止突縁１３を図３に示したようにバネ状クリップ１４を介して係止溝部１０に係止固定している。バネ状クリップ１４には、係止突縁１３に係止する係止詰め４ｂと係止溝部１０に係止する係止爪１４ｃが形成されている。
【００１０】
カバー材３は壁躯体１、２ａ間の間隙Ｓを覆う程度の大きさの幅を有し、一側端は壁躯体１側に屈曲している。カバー材３は額縁材５を取り付ける際に支持材４と額縁材５との間に摺動可能に挟持させればよい。
【００１１】
壁躯体１、２ａには間隔をおいて仕上げ材１６が配置され、壁躯体１、２ａの表面を覆っている。１７は下地材用セメントである。上記額縁材５の額縁１２が仕上げ材１６の端部を覆いかつこの仕上げ材１６の表面に当接して支持している。
【００１２】
また、上記額縁材５において、取付縁１１と額縁１２との連結部にはあり溝１８が形成され、このあり溝１８には気密材１５が取り付けられている。そして、気密材１５は上記カバー材３の表面に当接している。
【００１３】
上記の入隅部に適用したエキスパンションジョイントの構成によっても、カバー材３が不同沈下、震動等に追従できるほか、カバー材３は額縁材５の気密材１５に当接しているから、内外の気密が良好に保持され、外気や塵が進入することが良好に防止される。
【００１４】
さらに、壁躯体１、２ａに仕上げ材１６を配設することにより、仕上げ材１６の美観を向上し、取付施工を容易にすることができる。
【００１５】
次に、入隅を構成する壁躯体２ａ側においては、図２に詳しく示されたように、上記建築躯体２ａの壁面に固定した支持材５の一端を建築躯体から遠ざかるように延出し、さらにその先端から建築躯体２ａの壁面と平行に屈曲する額縁１２を形成し、上記屈曲部にはカバー材３の端部に形成された係合部４０に回動可能に係合する係合溝４１を形成し、額縁１２によって上記建築躯体２ａの表面を覆う仕上げ材１６の端部を覆うように構成されている。
【００１６】
上記構成によれば、カバー材３の支持と仕上げ材１６の額縁効果を支持材４で兼用することができる。
【図面の簡単な説明】
【００１７】
【図１】本発明に係るエキスパンションジョイントの断面図である。
【図２】上記エキスパンションジョイントの要部の断面図である。
【図３】バネ状クリップによる取付態様説明図である。
【符号の説明】
【００１８】
３  カバー材
４  支持材
５  額縁材
１２  額縁
１６  仕上げ材
【図１】
2004353448.tif 000003
【図２】
2004353448.tif 000004
【図３】
2004353448.tif 000005
(57)【要約】【課題】電力需要は増加の方向であり増発電の必要と考える。【解決手段】必要性を無にする事の出来ない自動車の走るエネルギー、自動車の重量を利用して発電力とする。【特許請求の範囲】
【請求項１】
自動車の走る力、自動車の重さを利用した発電力である。
【発明の詳細な説明】
【０００１】
【発明の属する技術分野】
この発明は，自動車の走る力、自動車の自らの重さを利用し、道路上又は駐車場の入り口や出口に設置して発電をするものである。
【０００２】
【従来の技術】
従来の発電は、火力、水力、風力、原子力等である。
【０００３】
【発明が解決しようとする課題】
従来の発電力に加え増電力を目的とするものである。
【０００４】
【課題を解決する為の手段】
現在の発電力に加えさらなる増電力をめざすものである。
【０００５】
【発明の実施の形態】
以下、本発明の実施の形態について説明する。
自動車の本来の使用目的は、人間の移動や、物の輸送ですが、現在の自動車の走るエネルギーを発電力に利用できれば自動車本来の目的外の二次的エネルギーを生むものと考えられる。
【０００６】
【発明の効果】
自動車本来の目的は達成しながら二次的エネルギーを引き出し発電力を生みだすものである。
(57)【要約】      （修正有）【課題】従来のフイールターは、排気ガス熱と目詰まりに弱く、また金属製品は、炭素系粒子の捕獲に課題が多く見られた。【解決手段】本装置を自動車マフラーの先端部に接続し排気ガスを取り入れる。自動車の速度に従っての外気導入装置３から外気が導入され、排ガスと外気に含まれる酸素が混合化され粘土質焼結穴目釜容器２に送風される。排ガス温度１８０度至２００度を電熱線温度上下装置ヒーターで施し、排ガス濃度を削減させる。排ガスに生じる粉塵（微粒子）は粘土質焼結穴目釜容器内で螺旋熱流となり穴目を解して粉塵集積室５に集積される。処理された残流排ガスは、排気開口皿フィルター６を通り外気に排気される。本装置は使用後は洗浄処理し再利用を可能となる。【選択図】図１
2004353642.tif 000002
【特許請求の範囲】
【請求項１】
自動車排気ガス濃度の削減装置、ディーゼルエンジン発電機。
【発明の詳細な説明】
【０００１】本装置は、自動車排ガスのマフラーに接続し図面符号３の外気導入させ混合化し内部の符号２の粘土質焼結穴目釜容内に自動車排気ガスと外気を混合化させた、排ガスを符号４の電熱装置に送り、一酸化炭素ガス（ｃｏ）窒素酸化物（ｎｏｘ）の排ガス濃度削減装置。自車マフラーの先端部に取り付けられる．図面符号１外壁管カバー  図面  ２に示す  内部構造の粘土質焼結穴目釜容器、  図面符号３レジューサ管上に設けた外気導入装置．図面符号４は、排気ガスを再処理させる電熱線再処理装置、図面符号５は粉塵集積室  図面符号６は排気口開き皿で構成されている，排気ガス濃度減集じん装置。自動車マフラーから排気されるガスは外気導入と混合され穴目を通して釜容器に案内され３工程の電熱線再処理工程をとおり釜容器の穴目を通して再処理される，粉塵（微粒子）は図面符号５の粉塵集積室に蓄積させる。
本装置の特徴は外気導入装置と粘土質焼結穴目釜容器と電熱線装置及び排気口図面６の排気口開き皿の特徴を有す。
【発明の属する技術分野】
【０００２】
本装置は符号３  レジューサ板上に設けた外気導入の装置、符号２  粘土質焼結穴目釜容器、符号４は電熱線排ガス濃度処理装置、で温度増減装置で削減処理され、ｃｏ及びｎｏｘ、濃度削減を計り、自動車マフラーの先端部に簡易に取り付けられる。スペャー方式で内部容器は洗浄処理後は、再利用を可能としている。
【従来の技術】
【０００３】従来のフィールター式は、  排気ガス熱に弱く目詰まりが多く又金属製品は、炭素系粒子の捕獲に課題が多くみられた。
【発明が解決しようとする課題】
【０００４】本装置は、粘土質焼結穴目釜容器の特質を生かし、外気導入と排気ガスと混合し再電熱処理を３工程施し、排気ガス中に含まれる有害ガス（ｃｏ．ｎｏｘ）濃度の削減率を高める、図面符号３外気導入装置、の外気と排気ガスと混合し装置内部の図面符号２の粘土質焼結釜容器に案内され図面符号４の電熱線装置で温度調整上限を可能とした温度にて処理され、有害ガス濃度の削減をはかる。．炭素（微粒子）は焼結釜容器の穴目を通して図面符号５粉塵集積室に集積される。
【課題を解決するための手段】
【０００５】外気導入し排気ガスと混合化し粘土質焼結穴目釜容器内に設ける電熱線装置に有する。排ガス濃度削減で生じる粉塵（微粒子）は、符号２の穴目釜容器を通して、図面符号５粉塵集積室に捕獲される。
【発明の実施の形態】
【０００６】本装置をディゼル自動車マフラーの先端部に接続し、エンジン始動，回転数３０パワーにセットする，外気導入装置開き  電熱線装置の温度２５０°で実施を試み排ガス採集し
テスト方法    自動車型式  ディール４トントラ  燃料  径油  検知測定器
同条件で対象比を設けテスト実施する。排気ガスをビニール袋に採集しｃｏ及びｎｏｘを検知管で残留値を測定する．効果は下記の通りである。
テスト  結果  下記の通り
１    装置する  ｃｏ  ４５０ｐｐｍ
２              ｃｏ  ４００ｐｐｍ
３                    ｃｏ  ４００ｐｐｍ      
下記は装置しない。
１          ｃｏ  ７５０  ｐｐｍ
２          ｃｏ  ６００  ｐｐｍ
３          ｃｏ  ６００  ｐｐｎ
テスト方法は同条件で試みた。
【図面の簡単な説明】
【図１】断面図
【図２】側面図
【図３】平面図
【符号の説明】
（１）    外壁管カバー
（２）    粘土質焼結穴目釜容器
（３）    外気導入レジューサ管装置
（４）    電熱ヒーター装置
（５）    粉塵集積室装置
（６）    排気開口フィルター装置
【図１】
2004353642.tif 000003
【図２】
2004353642.tif 000004
【図３】
2004353642.tif 000005
(57)【要約】      （修正有）【課題】多品種少ロット品を効率良く大量生産でき、又混入のない品質の良い電気めっき処理をする、バレルとバレル装置と処理方法を提供する。【解決手段】バレル１が左２と右３とに分割されており、真ん中に２０〜１００ｍｍ程度のめっき液が侵入できる隙間４がある。めっきバレル装置として分割バレル左２用整流器８があり、陰極側に左用リード線９と陽極側に左用陽極板１０がある。また同じく分割バレル右３用整流器１１があり、陰極側に右用リード線１２と陽極側に右用陽極板１３があり、１バレル２電源方式と左右独立している。【選択図】図４
2004353076.tif 000002
【特許請求の範囲】
【請求項１】
電気バレルめっき方式でバレル内を２分割にする分割式バレルにおいて、分割の間に隙間を設けたことを特徴とするめっき用バレル。
【請求項２】
分割バレルに左右それぞれ整流器を設け１バレル２電源としたことを特徴とするめっき用バレル装置。
【請求項３】
めっき用分割バレルを用いて、１バレル２電源方式で電気めっき処理をするバレルめっき方法
【発明の詳細な説明】
【０００１】
【発明の属する技術分野】
本発明は、形状違いの処理物を同時に効率よく品質の良い物で量産できる電気めっき処理に関するものである。
【０００２】
【従来の技術】
従来より、形状違いの処理物を電気めっき処理するときは、膜厚のバラツキをなくすために同じ形状品をバレルに投入し、形状違い品はバレルを変えて１バレル１電源で処理をしていた。また後処理品質のためや計量負荷を下げるために分割式のバレルを用いて、後処理工程を半分に分割して処理することもあるが、同じ形状品を左右に均等に投入するか類似品を表面積や重量を左右合わせて投入して膜厚のバラツキをなくさなければならなかった。
【０００３】
【発明が解決しようとする課題】
しかしながら、従来の電気めっき処理において、１バレル１電源で多品種少ロット品を大量生産したくとも、形状違いの品はバレルごとに処理をしなくてはならないので、生産効率を上げることはできなかった。また分割バレルでも左右同じ形状品をいれるので、あまり生産性は変わらず、むしろ品質的に分割バレルの方が１バレルよりバレル内のめっき液の循環が悪いので膜厚等のバラツキが大きく、左右処理品の混入などの品質問題もあった。
【０００４】
従って、本発明の課題は多品種少ロット品を効率良く大量生産でき、又混入のない品質の良い電気めっき処理をする、バレルとバレル装置と処理方法を提供することである。
【０００６】
【課題を解決するための手段】
本発明は上記従来の課題を解決するための手段として、バレル（１）が左（２）と右（３）とに分割されており、真ん中に２０〜１００ｍｍ程度のめっき液が侵入できる隙間（４）がある。めっきバレル装置として分割バレル左（２）用整流器（８）があり、陰極側に左用リード線（９）と陽極側に左用陽極板（１０）がある。また同じく分割バレル右（３）用整流器（１１）があり、陰極側に右用リード線（１２）と陽極側に右用陽極板（１３）があり、１バレル２電源方式と左右独立している。
本発明は、以上の構成よりなる分割バレルと分割バレル装置である。
【０００７】
【発明の実施の形態】
以下、本発明の実施の形態について説明する。
本発明の一実施形態によるバレル（１）が左（２）と右（３）とに分割されており、バレル全側面は真ん中の分割側面を含め処理品が引っ掛らない程度の穴が全体にあいている。その真ん中に２０〜１００ｍｍ程度のめっき液が侵入できる隙間（４）があり、電気めっき処理時のめっき液循環機能を高めている。設置スペースや混入防止を考えると望ましくは隙間（４）を６０ｍｍ程度とする。めっきバレル装置として分割バレル左（２）用整流器（８）があり、陰極側に左用リード線（９）と陽極側に左用陽極板（１０）がある。また同じく分割バレル右（３）用整流器（１１）があり、陰極側に右用リード線（１２）と陽極側に右用陽極板（１３）があり、１バレル２電源方式と左右独立しているので形状違いの物を１バレルで同時に効率良く電気めっき処理をすることができる。
【０００８】
本発明は図面に示した態様に限定されることなく、本発明の範囲を逸脱しない限り色々の変更を施すことができる。例えば、本発明では８角バレルだが６角バレルでも円柱バレルでも良い。１バレル２電源方式で陽極板が本発明では分割独立だが、陽極板のみを左右一体型としても良い。
【０００９】
【発明の効果】
本発明の分割バレル及び１バレル２電源分割バレル装置によれば、形状違いの物を１バレルで同時に電気めっき処理ができ、多品種少ロット品を効率良く大量生産できる。又分割バレルの真ん中に隙間を設けたことで、混入のない品質の良い電気めっき処理ができる。
【図面の簡単な説明】
【図１】本発明の分割バレル正面図
【図２】本発明の分割バレル排出一実施形態の使用状態を表す説明図
【図３】従来の分割バレル排出一実施形態の使用状態を表す説明図
【図４】本発明の分割バレル２電源方式の一実施形態の使用状態を表す説明図
【図５】従来の分割バレル１電源方式の一実施形態の使用状態を表す説明図
【符号の説明】
１              本発明分割バレル
２              本発明分割バレル左
３              本発明分割バレル右
４              本発明分割バレル液侵入隙間
５              分割バレルフタ
６              排出シュート
７              後処理バスケット
１１            従来分割バレル
２２            従来分割バレル左
３３            従来分割バレル右
５５            従来分割バレルフタ
８              本発明分割バレル左用整流器
１１            本発明分割バレル右用整流器
９              本発明分割バレル左用リード線
１２            本発明分割バレル右用リード線
１０            本発明分割バレル左用陽極板
１３            本発明分割バレル右用陽極板
１５            めっき液侵入
８８            従来分割バレル用整流器
９９            従来分割バレル用リード線
１００          従来分割バレル用陽極板
【図１】
2004353076.tif 000003
【図２】
2004353076.tif 000004
【図３】
2004353076.tif 000005
【図４】
2004353076.tif 000006
【図５】
2004353076.tif 000007